(57)【要約】【課題】風車のブレーキ動作時にも系統に優先的に電力を供給でき、かつブレーキ動作のために設けられる抵抗等の電力吸収手段が小さなもので済み、低コストで風車のブレーキ動作を可能とする。【解決手段】この出力制御装置４は、系統８に電力を供給するインバータ装置５と発電３の間に介在し、昇圧回路２１有する。前記インバータ装置５は、入力電圧が規定電圧よりも高いときは入力電圧に係わらずに出力を規定電力に維持する特性を持つ。抵抗または蓄電手段からなる電力吸収手段３２をインバータ装置５と並列に接続する。入力電圧が規定電圧よりも高いときのみ電力吸収手段３２へ電流が流れることを許容する入力電圧規制手段３１を設ける。この入力電圧規制手段３１の前記規定電圧は前記インバータ装置５の前記規定電圧よりも高い。【選択図】図２
2020010424.tif 000002
【特許請求の範囲】
【請求項１】
風車と、前記風車の回転エネルギーを電気エネルギーに変換する発電機とを備える風力発電装置において、直流の入力電圧が印加されると交流に変換して交流電力の系統に供給し入力電圧が規定電圧よりも高いときは入力電圧に係わらずに出力を規定電力に維持する特性を持つインバータ装置と前記発電機との間に介在する出力制御装置であって、
前記発電機から入力される交流の電力を直流に変換する整流手段と、
この整流手段に対して前記インバータ装置と並列に接続された抵抗または蓄電手段からなる電力吸収手段と、
入力電圧が規定電圧よりも高いときのみ前記電力吸収手段へ電流が流れることを許容する入力電圧規制手段とを備え、
この入力電圧規制手段の前記規定電圧が前記インバータ装置の前記規定電圧よりも高い、
風力発電装置の出力制御装置。
【請求項２】
請求項１に記載の風力発電装置の出力制御装置において、前記インバータ装置がパワーコンディショナーである風力発電装置の出力制御装置。
【請求項３】
請求項１または請求項２に記載の風力発電装置の出力制御装置において、
前記整流手段で整流された電力を昇圧し出力側が前記インバータ装置および前記入力電圧規制手段に接続される昇圧オンオフ可能な昇圧回路と、
この昇圧回路を制御する昇圧制御手段とを備え、
この昇圧制御手段は、
前記風車の回転数、発電機の回転数、発電機の発電電圧、発電機の発電電力、発電機の入力エネルギー、および風速のうちのいずれかである風車状況値を監視し、この風車状況値が、風車の動作の安全上で定められた閾値を超えるかまたは達したことを検出してブレーキ指令を出力するブレーキ開始条件判定手段と、前記ブレーキ指令に応答して前記昇圧回路に昇圧動作させる出力処理手段とを有する、
風力発電装置の出力制御装置。
【請求項４】
請求項１ないし請求項３のいずれか１項に記載の風力発電装置の出力制御装置において、前記入力電圧規制手段が、降圧回路と、この降圧回路を制御する降圧制御手段とでなる風力発電装置の出力制御装置。
【請求項５】
請求項１ないし請求項４のいずれか１項に記載の風力発電装置の出力制御装置おいて、前記パワーコンディショナーが、入力電圧と出力電力の関係が定められたテーブルに従って出力電力を制御するテーブル制御手段を有する風力発電装置の出力制御装置。
【発明の詳細な説明】
【技術分野】
【０００１】
この発明は、風速が速くなり過ぎたときに、風車にブレーキを掛ける風力発電装置の出力制御装置に関する。
【背景技術】
【０００２】
風速が速くなり、風車の回転速度が速くなり過ぎると、風車の強度的な安全等のため、風車にブレーキを掛けることが必要である。
従来、風車にブレーキを掛ける形式として、例えば図８に示すように、発電機３をリレー回路７１等で三相短絡させることにより、発電機３の内部抵抗により、電気的ブレーキに必要な熱を消費することが提案されている（例えば、特許文献１，２）。発電機３は、パワーコンディショナー５を介して系統８に接続されており、発電機３とパワーコンディショナー５との間に前記リレー回路７１が設けられる。
【０００３】
風車にブレーキを掛ける他の形式として、図９に示すように、発電機３の電力を抵抗７２に流すことにより、電気的ブレーキに必要な熱を消費する形式がある。抵抗７２の前段に降圧回路７３を設ける場合ある。
【先行技術文献】
【特許文献】
【０００４】
【特許文献１】特開２００２−３３９８５６号公報
【特許文献２】特開２００８−５６１２号公報
【発明の概要】
【発明が解決しようとする課題】
【０００５】
風車の前記各ブレーキ形式は、いずれも、ブレーキ動作時に、系統への供給電力が失われるという課題がある。
また、発電機３の内部抵抗で制動のための電力を消費する形式(図８)は、発電機３に大電流が流れ、信頼性を損ねる恐れがある。
前記抵抗７２で電力消費する形式の場合(図９)は、電力消費のための抵抗７２に大きなものが必要であり、ブレーキシステムのコストが高い。
【０００６】
この発明は、上記課題を解消するものであり、その目的は、風車のブレーキ動作時にも系統に優先的に電力を供給でき、かつブレーキ動作のために設けられる抵抗等の電力吸収手段が小さなもので済み、低コストの構成で風車のブレーキ動作を行わせることができる風力発電装置の出力制御装置を提供することである。
【課題を解決するための手段】
【０００７】
この発明の風力発電装置の出力制御装置４は、風車１と、前記風車１の回転エネルギーを電気エネルギーに変換する発電機３とを備える風力発電装置において、直流の入力電圧Ｖ１が印加されると交流に変換して交流電力の系統８に供給し入力電圧Ｖ１が規定電圧Ｖ１０よりも高いときは入力電圧Ｖ１に係わらずに出力を規定電力に維持する特性を持つインバータ装置５と前記発電機３との間に介在する出力制御装置４であって、
前記発電機３から入力される交流の電力を直流に変換する整流手段２２と、
この整流手段２２に対して前記インバータ装置５と並列に接続された抵抗または蓄電手段からなる電力吸収手段３２と、
入力電圧Ｖ２が規定電圧Ｖ２０よりも高いときのみ前記電力吸収手段３２へ電流が流れることを許容する入力電圧規制手段３１とを備え、
この入力電圧規制手段３１の前記規定電圧Ｖ２０が前記インバータ装置５の前記規定電圧Ｖ１０よりも高い。
【０００８】
この構成によると、風車１の回転により発電機３で発電されて整流手段２２で直流とされた電力は、インバータ装置５に入力され、ここで系統８に供給可能な交流に変換されて系統８に供給される。インバータ装置５は、入力電圧Ｖ１が規定電圧Ｖ１０よりも高いときは入力電圧Ｖ１に係わらずに出力を規定電力に維持する特性を持ち、風速が増速して発電機３の発電電圧がある程度高くなると、インバータ装置５から系統８へは規定電力が供給されることになる。常時は、この発電電圧の範囲で運転される。
【０００９】
風速がさらに増し、風車１の回転速度が安全上で好ましくない程度まで上がると、発電機３で発電された電圧が、入力電圧規制手段３１の規定電圧Ｖ２０以上になる。この状態になると、発電電力の一部が、抵抗または蓄電手段からなる電力吸収手段３２に流れ、発電機３の負荷が増大する。そのため、風車１にブレーキ力が作用し、風車１の回転速度を安全が確保できる速度に保持し、あるいは停止し、風車１の強度的な安全が得られる。この電力吸収手段３２に電力が流れ、風車１の制動が行われる間も、インバータ装置５の規定電圧Ｖ１０は入力電圧規制手段３１の規定電圧Ｖ２０よりも低いため、インバータ装置５から系統８へ電力が供給される。また、制動時もインバータ装置５に電力が流れるため、制動時に電力吸収手段３２のみに電力消費させる構成に比べて、抵抗等の電力吸収手段３２が小さなもので済み、低コストの構成で風車１のブレーキ動作を行わせることができる。
【００１０】
このように、入力電圧規制手段３１を設けることで、入力電圧Ｖ２が規定電圧Ｖ２０よりも高いときのみ電力吸収手段３２に電力が流れるようにし、またこの規定電圧Ｖ２０をインバータ装置５の規定電圧Ｖ１０よりも高くして、優先的にブレーキ時の電力をインバータ装置５に供給するようにしたため、風車１のブレーキ動作時であっても系統８への電力供給を保つことが可能となる。また、ブレーキ動作のために設けられる抵抗等の電力吸収手段３２が小さなもので済み、低コストの構成で風車１のブレーキ動作を行わせることができる。
【００１１】
なお、この明細書において、「インバータ装置５」は、直流を交流に変換する機能を有するコントローラを言い、パワーコンディショナーおよびバッテリーチャージコントローラーを含む。バッテリーチャージコントローラーは、通常でバッテリーに供給する独立電源システムで使用される。
この発明において、前記「インバータ装置５」として、パワーコンディショナーを用いてもよい。この明細書において、「パワーコンディショナー」とは、直流で入力される発電電力を系統８に供給できる交流電力に変換する装置を言う。
現在、一般に小形風車１で使用されているパワーコンディショナーなどのインバータ装置５は、入力電圧に応じて系統８に供給可能な電力を規定するテーブル制御方式が主流であり、電圧が上昇するにつれて電力を多く取る設定を行っている。そのため、前記の「入力電圧Ｖ１が規定電圧Ｖ１０よりも高いときは入力電圧Ｖ１に係わらずに出力を規定電力に維持する」と言う特性は、一般的なパワーコンディショナーが持つ特性であり、特殊な構成のインバータ装置５は不要である。
なお、市販品のインバータ装置には、マップではなく規定電圧を供給すると系統側に電力を供給するものがある。保護機能については、そのインバータ装置も同様であり、電力が大きい場合は、出力電力は変わらないが入力の電圧を上げる。よって、このようなインバータ装置も使用可能である。  
【００１２】
この発明において、前記整流手段２２で整流された電力を昇圧し出力側が前記インバータ装置５および前記入力電圧規制手段３１に接続される昇圧オンオフ可能な昇圧回路２１と、この昇圧回路２１を制御する昇圧制御手段２３とを備え、
この昇圧制御手段２３は、
前記風車１の回転数、発電機３の回転数、発電機３の発電電圧、発電機３の発電電力、発電機の入力エネルギー、および風速のうちのいずれかである風車状況値を監視し、この風車状況値が、風車１の動作の安全上で定められた閾値を超えるかまたは達したことを検出してブレーキ指令を出力するブレーキ開始条件判定手段２９と、前記ブレーキ指令に応答して前記昇圧回路２１に昇圧動作させる出力処理手段２８とを有していてもよい。
【００１３】
この構成の場合、風速が風車１の安全上で好ましくない程度まで速くなって、風車１の回転数、発電機３の回転数、発電機３の発電電圧、発電機３の発電電力、発電機の入力エネルギー、および風速のうちのいずれかが閾値を超えるかまたは達すると、ブレーキ開始条件判定手段２９がブレーキ指令を出し、これに応答して出力処理手段が昇圧回路２１に昇圧動作を開始させる。
風車１に速度超過でブレーキを掛けるとき、前記昇圧が行われることで、インバータ装置５から系統８に供給される電力は、インバータ装置５の前記特性のために一定であるが、電力吸収手段３２に流れる電力は増大する。そのため、風車１を制動させる作用が高まり、風車１がより短時間で停止する。
【００１４】
なお、ブレーキ開始条件判定手段２９は、風車１の回転数、発電機３の回転数、発電機３の発電電圧、発電機３の発電電力、発電機の入力エネルギー、および風速のうち、複数種の監視を行い、いずれか一つ種類の風車状況値が閾値以上になるとブレーキ指令を出力するようにしてもよく、また複数種類の値が閾値以上にあることでブレーキ指令を出力するようにしてよい。
前記「閾値」は、風車１の回転数や発電機３の発電電圧等の個々に応じて定められる値である。
【００１５】
この発明において、前記入力電圧規制手段３１が、降圧回路２１と、この降圧回路２１を制御する降圧制御手段３８とでなる構成であってもよい。
降圧回路２１を用いると、入力電圧Ｖ２が規定電圧Ｖ２０よりも高いときのみ電力を流す構成が、一般的な構成で得られる。
【００１６】
この発明において、前記インバータ装置５が、入力電圧Ｖ１と出力電力の関係が定められたテーブルに従って出力電力を制御するテーブル制御手段５ｂを有していてもよい。
前述のように、現在一般的に用いられているインバータ装置５はテーブル制御形式が一般的であり、この一般的な構成のインバータ装置５をこの発明の風力発電装置の出力制御装置４に適用することができる。
【発明の効果】
【００１７】
この発明の風力発電装置の出力制御装置は、風車と、前記風車の回転エネルギーを電気エネルギーに変換する発電機とを備える風力発電装置において、直流の入力電圧が印加されると交流に変換して交流電力の系統に供給し入力電圧が規定電圧よりも高いときは入力電圧に係わらずに出力を規定電力に維持する特性を持つインバータ装置と前記発電機との間に介在する出力制御装置であって、前記発電機から入力される交流の電力を直流に変換する整流手段と、この整流手段に対して前記インバータ装置と並列に接続された抵抗または蓄電手段からなる電力吸収手段と、入力電圧が規定電圧よりも高いときのみ前記電力吸収手段へ電流が流れることを許容する入力電圧規制手段とを備え、この入力電圧規制手段の前記規定電圧が前記インバータ装置の前記規定電圧よりも高いため、風車のブレーキ動作時にも系統に優先的に電力を供給でき、かつブレーキ動作のために設けられる抵抗等の電力吸収手段が小さなもので済み、低コストの構成で風車のブレーキ動作を行わせることができる。
【図面の簡単な説明】
【００１８】
【図１】この発明の一実施形態に係る出力制御装置を備えた風力発電装置の概略構成を示すブロック図である。
【図２】同風力発電装置の概念構成例のブロック図である。
【図３】同実施形態に係る出力制御装置を用いた場合のテーブル制御手段における入力電圧と出力電圧の関係例を示図である。
【図４】同出力制御装置の昇圧回路の昇圧制御の一例を示すブロック図である。
【図５】同出力制御装置の入力電圧規制手段の電圧一定制御の一例を示すブロック図である。
【図６】垂直型風車の一例を示す正面図である。
【図７】図４の VII−VII 線断面図である。
【図８】従来の風力発電装置における電気的なブレーキの一例の概念構成を示すブロック図である。
【図９】従来の風力発電装置における電気的なブレーキの他の例の概念構成を示すブロック図である。
【発明を実施するための形態】
【００１９】
この発明の一実施形態を図１ないし図７と共に説明する。図１は、この出力制御装置を備えた風力発電装置の一例を示す。この風力発電装置は、風のエネルギーを回転エネルギーに変換する風車１と、風車１の主軸２にカップリング（図示せず）等で連結されて風車１の回転エネルギーを電気エネルギーに変換する発電機３と、この発電機３と系統８の間に介在するインバータ装置であるパワーコンディショナー５とを備え、前記発電機３とパワーコンディショナー５との間に、この実施形態に係る出力制御装置４が介在する。
発電機３は、例えば三相同期発電機である。系統８は交流商用電力系統等の交流電力の系統である。発電機３および系統８は、三相と単相のいずれでも良く、また発電機３と系統８のいずか片方が三相、もう片方が単相であってもよいが、図２に示す例はいずれも三相である例を示す。風車１と発電機３との間に増速機（図示せず）を備えていてもよい。
【００２０】
＜風車１＞
風車１は、垂直軸風車および水平軸風車（プロペラ型風車）のいずれでもよいが、この例では図６，７に一例を示す垂直軸型風車が用いられている。この垂直軸型の風車１は、主軸２の回りに上下方向に延びる複数の羽根１１がアーム１２を介して取付けられて回転翼１３を構成し、主軸２が軸受１４を介してフレーム１５に支持されている。各羽根１１は、羽根本体１１ａの上下両端にウイングレット１１ｂが設けられている。なお、主軸２は、図１では模式化のために水平姿勢で図示している。
【００２１】
＜パワーコンディショナー５＞
パワーコンディショナー５は、直流で入力される発電電力を交流電力の系統８に供給可能な交流電力に変換する装置である。
図２に示すように、パワーコンディショナー５は、入力された直流電力を交流電力に変換するインバータ５ａと、テーブル制御手段５ｂとを備え、テーブル制御手段５ｂの機能により、入力電圧Ｖ１が規定電圧Ｖ１０よりも高いときは入力電圧Ｖ１に係わらずに出力を規定電力に維持する特性を持つ。テーブル制御手段５ｂは、この他にＤＣ／ＤＣコンバータ、および出力電流を系統８の位相に整合させる位相調整手段（いずれも図示せず）を有する。
【００２２】
＜テーブル制御手段５ｂ＞
テーブル制御手段５ｂは、図３に示す入力電圧Ｖ１と出力電力の関係を定めたテーブルを有し、このテーブルに従って出力電力を制御する。同図のテーブルでは、零から規定電圧（「定格電圧」と称する場合がある）Ｖ１０までは、入力電圧Ｖ１が高くなるに従って大きくなり、入力電圧Ｖ１が規定電圧Ｖ１０を超えると、入力電圧Ｖ１が高くなっても出力電力が規定電力のまま一定となるように定められている。テーブル制御手段５ｂによる電力の制御は、インバータ５ａのＰＷＭ制御等で行う。出力する交流は、単相交流であっても、三相交流であっても良いが、図２は三相交流の場合の例を示している。
【００２３】
＜出力制御装置４の概要＞
図１において、出力制御装置４は、発電機から入力される交流の電力を直流に変換する整流手段２２と、昇圧回路２１と、昇圧回路２１に対してパワーコンディショナー５と並列に接続された電力吸収手段３２と、入力電圧Ｖ２が規定電圧Ｖ２０よりも高いときのみ前記電力吸収手段３２へ電流が流れることを許容する入力電圧規制手段３１とを備える。
【００２４】
＜電力吸収手段３２等＞
整流手段２２は、この例では昇圧回路２１の一部として設けられている。昇圧回路２１は昇圧制御手段２３によって制御される。
電力吸収手段３２は、抵抗、いわゆるダンプ抵抗からなるが、蓄電池であってもよい。  入力電圧規制手段３１は、降圧回路３３と、この降圧回路３３を制御する降圧制御手段３８とで構成される。
入力電圧規制手段３１の規定電圧Ｖ２０は、パワーコンディショナー５の前記規定電圧Ｖ１０よりも高く設定されている。例えば、パワーコンディショナー５の規定電圧Ｖ１０が３５０Ｖであると、入力電圧規制手段３１の規定電圧Ｖ２０３５５Ｖとされ、５Ｖの電圧差が設定される。
【００２５】
＜昇圧回路２１等＞
図２において、整流回路２２は、ダイオードを用いたブリッジ回路等で構成される。
昇圧回路３１は、昇圧オンオフおよび昇圧の程度が可変の回路であり、チョッパ回路等で構成される。図示の例では、正側回路部とアース側回路部との間に、スイッチングトラジスタ等のスイッチング素子２６とコンデンサ２７とが並列に接続され、正側回路部におけるスイッチング素子２６とコンデンサ２７との間にダイオード２５が設けられ、スイッチング素子２６よりも上流側にインダクタンス素子４５が設けられている。スイッチング素子２６をＰＷＭ制御等で開閉制御することで、出力電力や入力電圧Ｖ２の制御が可能である。
【００２６】
＜昇圧制御手段２３＞
昇圧制御手段２３は、ブレーキ開始条件判定手段２９と、このブレーキ開始条件判定手段２９から出力されるブレーキ指令ａに応答して昇圧回路２１に昇圧動作させる出力処理手段２８とを有する、
【００２７】
＜ブレーキ開始条件判定手段２９＞
ブレーキ開始条件判定手段２９は、風車１の回転数、発電機３の回転数、発電機３の発電電圧、発電機３の発電電力、発電機の入力エネルギー、および風速のうちのいずれかである風車状況値を監視し、この風車状況値が、風車１の動作の安全上で定められた閾値を超えるかまたは達したことを検出して前記ブレーキ指令ａを出力する。前記閾値は、風車回転数であるか発電電圧であるか等の風車状況値の種類に応じて定められる。
ブレーキ開始条件判定手段２９は、風車１または発電機３の回転数が閾値を超過したことを判定する風車／発電機回転数超過判定部２９ａと、発電機３の発電電圧が閾値を超過したことを判定する発電電圧超過判定部２９ｂと、発電機３の発電電力が閾値を超過したことを判定する発電電圧超過判定部２９ｃと、風速計（図示せず）で検出される風速が閾値を超過したことを判定する風速超過判定部２９ｄとを有する。ブレーキ開始条件判定手段２９は、前記各判定部２９ａ〜２９ｄのいずれか１一つ、またはいずれか複数の判定部２９ａ〜２９ｄが超過したと判定したとき、前記ブレーキ指令ａを出力する。
【００２８】
＜出力処理手段２８＞
出力処理手段２８は、前記ブレーキ指令ａに応答して昇圧回路２１に昇圧動作させるときに、主回路部である昇圧回路２１の入力電圧を制御する入力電圧制御部２８ａと、出力電圧を制御する出力電圧制御手段２８ｂと、入力電流を制御する入力電流伊勢虚手段２８ｃとを有する。
【００２９】
＜入力電圧規制手段３１＞
前記電力吸収手段３２に対する入力電圧規制手段３１の降圧回路３３は、図示の例では降圧チョッパ回路からなる。この降圧回路３３は、正側回路部にスイッチングトラジスタ等のスイッチング素子３４とインダクタンス素子３６とが入力側から順に設けられ、これらの素子３４，３６間で正側回路部とアース側回路部との間にタイオード３６が設けられ、インダクタンス素子３６よりも出力側で正側回路部とアース側回路部との間にコンデンサ３７が設けられている。スイッチング素子３４をＰＷＭ制御等で開閉制御することで、入力電圧Ｖ２の制御が可能である。
【００３０】
＜降圧制御手段３８＞
降圧制御手段３８は、主回路部である降圧回路３３の入力電圧Ｖ２を規定電圧Ｖ２０となる一定値に制御するための入力電圧指令値を出力する入力電圧一定制御手段４０と、この入力電圧一定制御手段４０が出力する信号を用いて前記スイッチング素子３４の制御を行う出力処理手段３９を有する。
【００３１】
出力処理手段３９は、降圧回路３３の入力電圧Ｖ２を制御する入力電圧制御手段４１と、出力電圧を制御する出力電圧制御手段４２と、出力電流を制御する出力電流制御手段４３とを有する。
【００３２】
＜作用の概略＞
上記構成の作用を説明する。
概要を説明すると、発電機３から発生する電力をパワーコンディショナー５およびダンプ抵抗等の電力吸収手段３２に供給することにより、風車１の慣性エネルギーおよび風により発生するエネルギーを消費することに必要な電気的エネルギー（電気的ブレーキ）を発生させる。
電気的ブレーキ発生中は、従来ならば発電機で消費させるかダンプ抵抗に流すことが主流であったが、ブレーキ動作時は系統に電力が供給されない問題がある。その為、この実施形態では、系統８に電力を供給しつつ、風車１側のエネルギーが大きく系統８に流しきれない場合は、抵抗等の電力吸収手段３２に流すことにより、ブレーキ中であっても系統８の電力を確保するようにしている。
【００３３】
＜具体的作用＞
具体的に作用を説明する。パワーコンディショナー５は、テーブル制御手段５ｂによるテーブル制御方式であり、図３と共に前述したように、規定電圧Ｖ１０に達するまでは入力電圧Ｖ１が上昇するにつれて電力を多く出力する。入力電圧Ｖ１が規定電圧Ｖ１０に達すると、前記パワーコンディショナー５は、前記テーブル制御手段５ｂのテーブル制御の機能により入力電圧Ｖ１が上昇しても出力電力は上昇しない状態となる。
パワーコンディショナー５と並列に抵抗等の電力吸収手段３２が設けられているが、この電力吸収手段３２により電力吸収が可能となる電圧は、入力電圧規制手段３１によって規定電圧Ｖ２０に制限されている。この規定電圧Ｖ２０は、パワーコンディショナー５の入力の規定電圧Ｖ１０よりも高く設定され、優先順位が生じている。そのため、通常時は電力吸収手段３２には発電電力が吸収されず、発電電力の全て（回路損失分は除く）がパワーコンディショナー５を介して系統８へ供給される。
【００３４】
前記パワーコンディショナー５と電力吸収手段３２の前には、発電機３の電圧を昇圧する昇圧回路２１が接続されており、風車１にブレーキをかけたいタイミングで昇圧動作が可能である。
風速が増大し、ブレーキ開始条件判定手段２８が、風車１か発電機３の回転数、発電電圧、発電電力、入力エネルギー、風速のいずれかが、それぞれの値に対して設定された閾値を超えたと判定すると、ブレーキ指令ａを出力する。このブレーキ指令ａに応答して、出力処理手段２８により昇圧回路２１に昇圧動作させる。
【００３５】
このように、ブレーキ動作時は、昇圧回路２１が昇圧動作し、先ずは、出力電圧がパワーコンディショナー５の規定電圧Ｖ１０まで上昇する。Ｖ１０になれば、パワーコンディショナー５から系統８に規定電力が供給される。
さらに風車１側のエネルギーがある場合は、さらに昇圧回路２１により出力側の電力が上昇が上昇し、電力吸収手段３２の入力規制手段３１の規定電圧Ｖ２０に達する。規定電圧Ｖ２０に達すると、抵抗等からなる電力吸収手段３２に電力が吸い込まれる。
【００３６】
電力が流れる動作は、吸込み電圧の低い方から動作される為、系統８に電力を供給するパワーコンディショナー５の次に、抵抗等の電力吸収手段３２の順に行われる。そのため、系統８に電力を供給することが最優先される。
また、系統８に電力を供給するパワーコンディショナー５も電気的ブレーキに使用される為、電力吸収手段３２の抵抗容量を削減でき、小型化が可能である。
【００３７】
図４は、図２の昇圧制御手段２３の出力処理手段による昇圧制御の一例を示す。出力電圧指令値Ｖref(out)  に、比較部５１で出力電圧検出値Ｖout が減算され、その演算値が出力電圧制御手段２８ｂに入力される。出力電圧制御手段２８ｂはＰＩ制御（比例積分制御）を行う。この出力電圧制御手段２８ｂの出力に、比較部５２で入力電流検出値Ｉinが減算され、その演算値が入力電流制御手段２８ｃに入力される。入力電流制御手段２８ｃは、ＰＩ制御（比例積分制御）を行う。入力電流制御手段２８ｃの出力は、ＰＷＭ出力部５３によってＰＷＭ（パルス幅変調）信号に変換され、昇圧回路２１におけるスイッチング素子２６（図２参照）の制御入力端子に入力される。
前記出力電圧指令値Ｖref(out)は、前記出力制御装置４を構成するマイコン等に予め規定値として記憶された値であり、基本的には前記規定電圧Ｖ２０以上とされる。出力電圧検出値Ｖout は、昇圧回路２１の出力端に設けられた電流検出手段（図示せず）の検出値である。入力電流検出値Ｉinは、昇圧回路２１の整流手段２２による整流直後の部位を流れる電流を検出する電流検出手段（図示せず）の検出値である。
図２の入力電圧制御手段２８ａは、必要に応じて図４の回路に加えられる。入力電圧制御手段２８ａは、入力電圧を目標値として制御する場合に使用される。例えば、入力電圧目標値  →０Ｖとして制御される。
【００３８】
図５は、図２の降圧制御手段３８による電圧一定制御の一例を示す。入力電圧指令値Ｖref(ｉn)に、比較部６１で入力電圧検出値Ｖinが減算され、その演算値が入力電圧制御手段４１に入力される。入力電圧制御手段４１はＰＩ制御（比例積分制御）を行う。この入力電圧制御手段２８ｂの出力に、比較部６２で出力電流検出値Ｉoが減算され、その演算値が出力電流制御手段４３に入力される。出力電流制御手段４３は、ＰＩ制御（比例積分制御）を行う。出力電流制御手段４３の出力は、ＰＷＭ出力部６３によってＰＷＭ（パルス幅変調）信号に変換され、降圧回路２１におけるスイッチング素子３４（図２参照）の制御入力端子に入力される。
前記入力電圧指令値Ｖref(ｉn)  は、入力一定制御手段４０に設定された値である。入力電圧検出値Ｖｉn は、降圧回路３３の入力端に設けられた電流検出手段（図示せず）の検出値である。出力電流検出値Ｉoutは、降圧回路３３の整流手段２２による整流直後の部位を流れる電流を検出する電流検出手段（図示せず）の検出値である。
図２の入力電圧制御手段２８ａは、必要に応じて図４の回路に加えられる。
なお、図４の例では、出力電流を制御していないが、図５の例では、出力電流の制御も行っている。
【００３９】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４０】
１…風車
３…発電機
４…出力制御装置
５…パワーコンディショナー（インバータ装置）
５ａ…インバータ
８…系統
５ｂ…テーブル制御手段
２１…昇圧回路
２２…整流手段
２８…出力処理手段
２９…  ブレーキ開始条件判定手段
３１…入力電圧規制手段
３２…電力吸収手段
３３…降圧回路
３８…降圧制御手段
【図１】
2020010424.tif 000003
【図２】
2020010424.tif 000004
【図３】
2020010424.tif 000005
【図４】
2020010424.tif 000006
【図５】
2020010424.tif 000007
【図６】
2020010424.tif 000008
【図７】
2020010424.tif 000009
【図８】
2020010424.tif 000010
【図９】
2020010424.tif 000011